(57)【要約】【課題】  プロジェクタのような映像表示装置において、高温の熱気をヒートウェーブを生じない場所に吐出することができるようにすると共に、その熱気を飲料の保温や加熱に有効利用する。【解決手段】  映像表示装置本体１と排気ガイド５との組み合わせでなる。排気口４と投写口３とが映像表示装置本体１の筐体２の前面に備わっている。排気ガイド５は、映像表示装置本体１の前側に設置して排気取入口５２を排気口４に対して対向配備したときに、風路５１が映像表示装置本体１の外側方に向けて延び出て排気吐出口５３が映像表示装置本体１の側方に向く。排気ガイド５の風路途中箇所に飲用容器を出入れ可能な容器収容空間５１ａがある。【選択図】        図１
2005352216.tif 000002
【特許請求の範囲】
【請求項１】
光源と投写レンズとを含む光学系要素と排気ファンとを内側に収容した筐体の上記排気ファンに臨む箇所に排気口が備わり、かつ、上記投写レンズに臨む箇所に投写口が備わっている映像表示装置本体と、風路の始部で上記排気口に対向配備される排気取入口が開口し、上記風路の終部でヒートウェーブを生じさせない場所に排気を吐出する排気吐出口が開口している排気ガイドとの組み合わせでなり、
上記排気ファンと上記投写レンズとが上記筐体の内側前部に配備されて、上記排気口と上記投写レンズに臨む投写口とが上記筐体の前面に備わり、
上記排気ガイドは、上記映像表示装置本体の前側に設置して上記排気取入口を上記排気口に対して対向配備したときに、上記風路が上記映像表示装置本体の外側方に向けて延び出て上記排気吐出口が上記映像表示装置本体の側方に向くようになっていると共に、その風路途中箇所に飲用容器を出入れ可能な容器収容空間が設けられ、その容器収容空間の形成箇所で上記風路が上記映像表示装置本体の側部で後方に向けて開口し、かつ、その開口を通じて上記飲用容器を上記容器収容空間に出入れ可能に構成されていることを特徴とする映像表示装置。
【請求項２】
光源と投写レンズとを含む光学系要素と排気ファンとを内側に収容した筐体の上記排気ファンに臨む箇所に排気口が備わっている映像表示装置本体と、風路の始部で上記排気口に対向配備される排気取入口が開口し、かつ、上記風路の終部でヒートウェーブを生じさせない場所に排気を吐出する排気吐出口が開口している排気ガイドとを備えていると共に、その排気ガイドの上記風路途中箇所に、飲用容器を出入れ可能な容器収容空間が設けられていることを特徴とする映像表示装置。
【請求項３】
映像表示装置本体は、上記筐体の内側前部に上記排気ファンが配備され、かつ、その筐体の前面に上記投写レンズに臨む投写口と上記排気口とを備えているのに対し、排気ガイドは、上記排気取入口を上記排気口に対して対向配備したときに上記風路が上記映像表示装置本体の外側方に向けて延び出て上記排気吐出口が上記映像表示装置本体の側方に向くようになっている請求項２に記載した映像表示装置。
【請求項４】
上記風路が、上記容器収容空間の形成箇所で上記映像表示装置本体の後方に向けて開口していると共に、その開口を通じて上記飲用容器を上記容器収容空間に出入れ可能に構成されている請求項３に記載した映像表示装置。
【請求項５】
光源と投写レンズとを含む光学系要素と排気ファンとを内側に収容した筐体の上記排気ファンに臨む箇所に排気口が備わり、かつ、上記投写レンズに臨む箇所に投写口が備わっていると共に、上記排気ファンと上記投写レンズとが上記筐体の内側前部に配備されて、上記排気口と上記投写レンズに臨む投写口とが上記筐体の前面に備わっている映像表示装置と組み合わせて用いられる映像表示装置用排気ガイドであって、
風路の始部で上記排気口に対向配備される排気取入口が開口し、上記風路の終部でヒートウェーブを生じさせない場所に排気を吐出する排気吐出口が開口し、上記映像表示装置本体の前側に設置して上記排気取入口を上記排気口に対して対向配備したときに、上記風路が上記映像表示装置本体の外側方に向けて延び出て上記排気吐出口が上記映像表示装置本体の側方に向くようになっていると共に、その風路途中箇所に飲用容器を出入れ可能な容器収容空間が設けられ、その容器収容空間の形成箇所で上記風路が上記映像表示装置本体の側部で後方に向けて開口し、かつ、その開口を通じて上記飲用容器を上記容器収容空間に出入れ可能に構成されていることを特徴とする映像表示装置用排気ガイド。
【請求項６】
光源と投写レンズとを含む光学系要素と排気ファンとを内側に収容した筐体の上記排気ファンに臨む箇所に排気口が備わっている映像表示装置と組み合わせて用いられる映像表示装置用排気ガイドであって、
風路の始部で上記排気口に対向配備される排気取入口が開口し、かつ、上記風路の終部でヒートウェーブを生じさせない場所に排気を吐出する排気吐出口が開口していると共に、上記風路途中箇所に、飲用容器を出入れ可能な容器収容空間が設けられていることを特徴とする映像表示装置用排気ガイド。
【請求項７】
上記排気取入口を、上記筐体の前面に設けられた上記排気口に対して対向配備したときに上記風路が上記映像表示装置本体の外側方に向けて延び出て上記排気吐出口が上記映像表示装置本体の側方に向くようになっている請求項６に記載した映像表示装置用排気ガイド。
【請求項８】
上記風路が、上記容器収容空間の形成箇所で上記映像表示装置本体の後方に向けて開口していると共に、その開口を通じて上記飲用容器を上記容器収容空間に出入れ可能に構成されている請求項７に記載した映像表示装置用排気ガイド。
【発明の詳細な説明】
【技術分野】
【０００１】
本発明は、映像表示装置及び同装置用排気ガイドに関する。
【背景技術】
【０００２】
光源と投写レンズとを含む光学系要素を筐体の内側に収容した映像表示装置、たとえばプロジェクターでは、光源としてのランプの発熱により筐体の内部温度が上昇してその筐体の内側に収容されている光学系要素や電気電子部品に悪影響が及ぶことを防ぐ対策を講じる必要がある。そのための対策として、排気ファンにより筐体の内部の空気をその外部へ強制排気することが行われている（特許文献１、特許文献２参照）。そして、特許文献１では、プロジェクターの側部へ向けて高温の熱気を排気した場合に、その熱気が傍聴者に直接当たることを防ぐことを目的として、排気口に排気の向きを変えることのできる排気ガイドを着脱するという技術が開示されている。これに対し、特許文献２では、筐体の底部の複数箇所に排気ガイドを具備させておき、それらの排気ガイドを選択使用して排気の向きを変化させるという技術が開示されている。
【０００３】
一方、自動車の車内冷暖房用の冷温風を飲料用の容器に直接に当てて容器内の飲料を保冷又は保温することが従来より知られている（たとえば特許文献３参照）。
【０００４】
ところで、プロジェクターなどのように高温の熱気を排気する映像表示装置では、その筐体の前方に向けて排気を吐出させると、筐体に収容されている光学系要素や電気電子部品が排気によって外部から加熱されるという事態が起こらなくなるためにそれらの要素や部品に排気による加熱の影響が及びにくくなるという長所があり、また、当該装置の側方や後方の傍聴者などに熱気が当たらないので傍聴者が不快感を感じることがなくなるという長所がある反面で、筐体の前方に吐出された排気が原因になって所謂ヒートウエーブを生じることがあり、そのようなヒートウェーブが生じると、映写光線の通過領域に生じる上昇気流などによって当該映像表示装置の前方のスクリーンに映し出される映像の品質が低下することが判っている。
【特許文献１】特開２０００−１３７２９１号公報
【特許文献２】特開２００３−２０２６３１号公報
【特許文献３】特開平９−１２３８２１号公報
【発明の開示】
【発明が解決しようとする課題】
【０００５】
本発明は以上の状況の下でなされたものであり、筐体の周囲のいずれの方向に高温の熱気を排気する場合であっても、上記したヒートウェーブを生じるおそれがなくなるだけでなく、その排気を飲料の保温や加熱に有効利用することのできる映像表示装置を提供することを目的とする。
【０００６】
また、本発明は、映像表示装置が筐体の周囲のいずれの方向に高温の熱気を排気するものであっても、その映像表示装置と組み合わせて用いることによって、上記したヒートウェーブが発生することを防ぎ、しかも、映像表示装置の高温の排気を飲料の保温や加熱に有効利用することのできる映像表示装置用排気ガイドを提供することを目的とする。
【課題を解決するための手段】
【０００７】
本発明に係る映像表示装置は、光源と投写レンズとを含む光学系要素と排気ファンとを内側に収容した筐体の上記排気ファンに臨む箇所に排気口が備わっている映像表示装置本体と、風路の始部で上記排気口に対向配備される排気取入口が開口し、かつ、上記風路の終部でヒートウェーブを生じさせない場所に排気を吐出する排気吐出口が開口している排気ガイドとを備えていると共に、その排気ガイドの上記風路途中箇所に、飲用容器を出入れ可能な容器収容空間が設けられている。
【０００８】
この発明によると、映像表示装置本体の排気口から排気された高温の熱気が、排気ガイドの排気取入口に吹き込まれた後、風路を通ってその排気吐出口から吐出される。そして、排気吐出口から熱気の吐出される場所がヒートウェーブを生じさせない場所であるので、ヒートウェーブによってスクリーンに映し出される映像の品質が低下するというおそれがない。また、排気ガイドの風路途中箇所に設けられた容器収容空間に飲用容器を入れておくと、風路を通過する熱気の熱が飲料の保温や加熱のために有効利用されるだけでなく、排気吐出口から吐出される熱気の温度がそれだけ下がるので周囲の温度上昇が抑制されるという作用が発揮される。
【０００９】
本発明に係る映像表示装置において、映像表示装置本体は、上記筐体の内側前部に上記排気ファンが配備され、かつ、その筐体の前面に上記投写レンズに臨む投写口と上記排気口とを備えているのに対し、排気ガイドは、上記排気取入口を上記排気口に対して対向配備したときに上記風路が上記映像表示装置本体の外側方に向けて延び出て上記排気吐出口が上記映像表示装置本体の側方に向くようになっている、という構成を採用することが可能である。この構成であると、映像表示装置本体からその筐体の前方に向けて排気が行われるにもかかわらず、排気された高温の熱気が排気ガイドによって映像表示装置本体の外側方に導かれてその側方へ吐出されるので、ヒートウェーブを生じてスクリーンに映し出される映像の品質が低下するというおそれがない。
【００１０】
本発明に係る映像表示装置では、上記風路が、上記容器収容空間の形成箇所で上記映像表示装置本体の後方に向けて開口していると共に、その開口を通じて上記飲用容器を上記容器収容空間に出入れ可能に構成されているという構成を採用することも可能である。これによれば、映像表示装置本体の排気口から排気されて排気ガイドの風路に吹き込まれた高温の熱気が、風路終部の排気吐出口と容器収容空間の形成箇所の開口との両方から吐出されるので、排気ガイドから吐出される熱気が映像表示装置本体の側方や後方に向けて分散する。
【００１１】
本発明に係る映像表示装置は、光源と投写レンズとを含む光学系要素と排気ファンとを内側に収容した筐体の上記排気ファンに臨む箇所に排気口が備わり、かつ、上記投写レンズに臨む箇所に投写口が備わっている映像表示装置本体と、風路の始部に上記排気口に対向配備される排気取入口が開口し、上記風路の終部でヒートウェーブを生じさせない場所に排気を吐出する排気吐出口が開口している排気ガイドとの組み合わせでなり、上記排気ファンと上記投写レンズとが上記筐体の内側前部に配備されて、上記排気口と上記投写レンズに臨む投写口とが上記筐体の前面に備わり、上記排気ガイドは、上記映像表示装置本体の前側に設置して上記排気取入口を上記排気口に対して対向配備したときに、上記風路が上記映像表示装置本体の外側方に向けて延び出て上記排気吐出口が上記映像表示装置本体の側方に向くようになっていると共に、その風路途中箇所に飲用容器を出入れ可能な容器収容空間が設けられ、その容器収容空間の形成箇所で上記風路が上記映像表示装置本体の側部で後方に向けて開口し、かつ、その開口を通じて上記飲用容器を上記容器収容空間に出入れ可能に構成されている、という構成を採用することによっていっそう具体化される。この発明の作用は後述する実施形態を参照して詳細に説明する。
【００１２】
次に、本発明に係る映像表示装置用排気ガイドは、光源と投写レンズとを含む光学系要素と排気ファンとを内側に収容した筐体の上記排気ファンに臨む箇所に排気口が備わっている映像表示装置と組み合わせて用いられる映像表示装置用排気ガイドであって、風路の始部で上記排気口に対向配備される排気取入口が開口し、かつ、上記風路の終部でヒートウェーブを生じさせない場所に排気を吐出する排気吐出口が開口していると共に、上記風路途中箇所に、飲用容器を出入れ可能な容器収容空間が設けられている。
【００１３】
この発明では、上記排気取入口を、上記筐体の前面に設けられた上記排気口に対して対向配備したときに上記風路が上記映像表示装置本体の外側方に向けて延び出て上記排気吐出口が上記映像表示装置本体の側方に向くようになっている、という構成を採用することかてきるほか、上記風路が、上記容器収容空間の形成箇所で上記映像表示装置本体の後方に向けて開口していると共に、その開口を通じて上記飲用容器を上記容器収容空間に出入れ可能に構成されている、という構成を採用することができる。
【００１４】
これらの発明に係る映像表示装置用排気ガイドを用いることによって、上記した映像表示装置と同様の作用が発揮される。
【００１５】
また、本発明に係る映像表示装置用排気ガイドは、光源と投写レンズとを含む光学系要素と排気ファンとを内側に収容した筐体の上記排気ファンに臨む箇所に排気口が備わり、かつ、上記投写レンズに臨む箇所に投写口が備わっていると共に、上記排気ファンと上記投写レンズとが上記筐体の内側前部に配備されて、上記排気口と上記投写レンズに臨む投写口とが上記筐体の前面に備わっている映像表示装置と組み合わせて用いられる映像表示装置用排気ガイドであって、風路の始部で上記排気口に対向配備される排気取入口が開口し、上記風路の終部でヒートウェーブを生じさせない場所に排気を吐出する排気吐出口が開口し、上記映像表示装置本体の前側に設置して上記排気取入口を上記排気口に対して対向配備したときに、上記風路が上記映像表示装置本体の外側方に向けて延び出て上記排気吐出口が上記映像表示装置本体の側方に向くようになっていると共に、その風路途中箇所に飲用容器を出入れ可能な容器収容空間が設けられ、その容器収容空間の形成箇所で上記風路が上記映像表示装置本体の側部で後方に向けて開口し、かつ、その開口を通じて上記飲用容器を上記容器収容空間に出入れ可能に構成されている、という構成を採用することによっていっそう具体化される。この発明の作用は後述する実施形態を参照して詳細に説明する。
【発明の効果】
【００１６】
以上のように、本発明に係る映像表示装置によれば、筐体の周囲のいずれの方向に高温の熱気を排気する場合であっても、特に筐体の前方に向けて高温の熱気が排気されるものであっても、その熱気がヒートウェーブを生じない場所に吐出されるためにヒートウェーブによって映像品質が低下するという事態が起こらない。しかも、筐体から排気された高温の熱気を飲料の保温や加熱に有効利用することができるので、オペレータや傍聴者にとって保温や加熱された飲料をその場で飲むことができるようになるという利便があり、しかも、排気ガイドから吐出される熱気の温度が飲料の保温や加熱に使われることにより低下して周囲の温度上昇が抑制されるという利点もある。このような効果は、本発明に係る映像表示装置用排気ガイドを用いることによっても同様に奏される。
【発明を実施するための最良の形態】
【００１７】
図１は請求項１〜請求項４に係る発明の実施形態である映像表示装置Ａの使用状態説明図、図２は映像表示装置本体１の外観図、図３は排気ガイド５の外観図、図４は変形例による排気ガイド５の外観図である。
【００１８】
図２のように映像表示装置本体１はプロジェクタであり、偏平箱形の筐体２の前面に投写口３と排気口４とが備わっている。また、図示していないけれども、筐体２の内側には、光源としてのランプハウスや投写レンズ３１（図１参照）、反射ミラーなどの必要な光学系要素が収容されているほか、ランプハウスなどで生じた熱で加熱されることにより生じた筐体２の内側の熱気を上記排気口４から筐体２の前方へ強制的に吹き出すための排気ファン４１（図１参照）が収容されていると共に、必要な電気電子部品を搭載した部品ユニットなどが収容されている。そして、図２のように、投写口３が筐体２の内側前部に配備された投写レンズ３１に臨み、排気口４が内側前部に配備された排気ファン４１に臨んでいる。図１のように、この映像表示装置本体１は、投写口３から映像光線Ｌを前方のスクリーンＳに投写してそのスクリーンＳに映像を映すことに使われる。
【００１９】
これに対し、図３のように、排気ガイド５は、中空ダクトによって形成されていて、横長の風路５１の始部で排気取入口５２が開口し、風路５１の終部で排気吐出口５３が開口していて、排気取入口５２と排気吐出口５３とは互いに直交する水平方向を向いている。さらに具体的には、排気取入口５２が排気ガイド５の幅方向に向いており、排気吐出口５３が排気ガイド５の長手方向に向いている。また、風路５１の途中の２箇所に飲用容器Ｖを出入れ可能な容器収容空間５１ａ，５１ａが設けられていると共に、その容器収容空間５１ａ，５１ａの形成箇所で風路５１が上記排気取入口５２と同じ方向に向けて開口していて、この開口５１ｂ，５１ｂを通じて飲用容器Ｖを容器収容空間５１ａ，５１ａに出入れすることができるようになっている。
【００２０】
この実施形態の映像表示装置は、上記した映像表示装置本体１と排気ガイド５との組み合わせでなる。そして、使用時には、図１のように、映像表示装置本体１の筐体２の前面の排気口４に対して、その映像表示装置本体１の前側に載置することによって設置した排気ガイド５の排気取入口５２を対向配備する。このようにすると、排気ガイド５の風路５１が映像表示装置本体１の外側方に向けて延び出てその排気吐出口５３が映像表示装置本体１の側方に向く。また、上記開口５１ｂ，５１ｂが、上記容器収容空間５１ａ，５１ａの形成箇所で映像表示装置本体１の側部で後方に向く。したがって、図１のようにスクリーンＳに映像を写し出した場合には、排気ファン４１によって映像表示装置本体１の筐体２の前面の排気口４から強制排気された高温の熱気が、排気ファン４１の送風作用によって排気ガイド５の排気取入口５２に吹き込まれた後、風路５１を経て排気吐出口５３や開口５１ｂ，５１ｂから吐出される。この場合、排気吐出口５３や開口５１ｂ，５１ｂから熱気が吐出される場所は、映写光線Ｌから離れた場所であるので、吐出された熱気の影響でヒートウェーブが起こってスクリーンＳ上の映像品質が低下するという事態は起こり得ない。また、排気口４から強制排気された高温の熱気が、排気吐出口５３や開口５１ｂ，５１ｂから分散して吐出されるので、室内で局部的に極端な温度上昇が起こるということも防止される。
【００２１】
また、排気ガイド５の風路途中箇所に設けられた容器収容空間５１ａ，５１ａに飲用容器Ｖを入れておくと、風路５１を通過する熱気の熱が飲料の保温や加熱のために有効利用されるという利点があり、しかも、そのようにして熱気を飲料の保温や加熱のために有効利用すると、排気吐出口５３や開口５１ｂ，５１ｂから吐出される熱気の温度がそれだけ下がって周囲の温度上昇も抑制されるという利点がある。なお、容器収容空間５１ａ，５１ａに対する飲用容器Ｖの出入れは、容器収容空間５１ａ，５１ａの上方からでも開口５１ｂ，５１ｂ側からでも行うことができる。
【００２２】
この実施形態では、排気ガイド５の風路５１の途中２箇所に容器収容空間５１ａ，５１ａを形成してあるけれども、この点は、風路５１の途中の１箇所だけに容器収容空間を設けても、あるいは、２箇所より多い箇所に容器収容空間を設けてもよい。また、図４に示した変形例のように、細長の容器収容空間５１ａを形成しておいてもよく、さらに、同図のように容器収容空間５１ａを上方でのみ開放しておくことによって、図３に示した開口５１ｂを無くしてもよい。
【００２３】
この実施形態では、映像表示装置本体１と排気ガイド５とが個々に独立して取り扱うことのできる部品を構成しているので、排気ガイド５が不要な場合には映像表示装置本体１だけを用いて映像を表示することが可能であるだけでなく、その場合の映像表示装置本体１の取扱いが容易になる。また、排気ガイド５は、映像表示装置本体の前側に載置して設置するだけで済むので、その排気ガイド５を映像表示装置本体１に着脱しなければならないといった煩わしさが生じないという利点もある。
【００２４】
以上説明した実施形態は、請求項１〜請求項４に係る映像表示装置Ａについてのものであるけれども、請求項５〜請求項８に係る排気ガイドは、図１や図２に示した映像表示装置本体１を映像表示装置そのものとして観念したものであって、図１、図３及び図４に示した排気ガイド５が、請求項５〜請求項８に係る排気ガイドの実施形態に相当している。したがって、実施形態に係る排気ガイド５も上記した通りの作用を発揮する。
【図面の簡単な説明】
【００２５】
【図１】請求項１〜請求項４に係る発明の実施形態である映像表示装置の使用状態説明図である。
【図２】映像表示装置本体の外観図である。
【図３】排気ガイドの外観図である。
【図４】変形例による排気ガイドの外観図である。
【符号の説明】
【００２６】
１  映像表示装置本体
２  筐体
３  投写口
４  排気口
５  排気ガイド
３１  投写レンズ
４１  排気ファン
５１  風路
５１ａ  容器収容空間
５１ｂ  開口
５２  排気取入口
５３  排気吐出口
【図１】
2005352216.tif 000003
【図２】
2005352216.tif 000004
【図３】
2005352216.tif 000005
【図４】
2005352216.tif 000006